(57)【要約】【課題】石炭火力発電所等のプラントにおいて、悪天候等により燃料の受入が困難な状況が続くと、プラントの継続運転に支障をきたす恐れがあるという課題があった。【解決手段】プラント１０の出力に対する単位時間当たりの燃料消費量を記憶した時間消費量記憶手段２ａと、前記プラント１０への単位時間当たりの燃料受入量を記憶した時間受入量記憶手段２ｂと、前記プラント１０の運転計画及び燃料の受入計画に基づいて燃料保有量の推移を予測する保有量推移予測手段１ａと、該保有量推移予測手段１ａが燃料の保有量が所定量を下回ると予測したときに警告を発する警告手段１ｂとから構成してある。【選択図】図１
2007264681.tif 000002
【特許請求の範囲】
【請求項１】
プラントの出力に対する単位時間当たりの燃料消費量を記憶した時間消費量記憶手段と、前記プラントへの単位時間当たりの燃料受入量を記憶した時間受入量記憶手段と、前記プラントの運転計画及び燃料の受入計画に基づいて燃料保有量の推移を予測する保有量推移予測手段と、該保有量推移予測手段が燃料の保有量が所定量を下回ると予測したときに警告を発する警告手段とからなるプラントの燃料保有量管理システム。
【請求項２】
前記保有量推移予測手段が燃料の保有量が所定量を下回ると予測したときに、前記プラントの出力を抑制した運転計画に修正する運転計画修正手段を備えた請求項１に記載のプラントの燃料保有量管理システム。
【請求項３】
前記プラントが石炭火力プラントからなり、前記保有量推移予測手段が貯炭場とバンカー内の石炭保有量の推移を予測するようにした請求項１又は２に記載のプラントの燃料保有量管理システム。
【発明の詳細な説明】
【技術分野】
【０００１】
本発明は、石炭火力発電所等のプラントにおいて石炭等の燃料保有量を管理するプラントの燃料保有量管理システムに関する。
【背景技術】
【０００２】
図２に示す石炭火力発電プラント１０において、石炭船１７によって輸送される石炭Ｃは、受入コンベア１２により貯炭場１１に陸揚げされる。貯炭場１１に受入られた石炭Ｃは、発電量に応じて必要量を輸送コンベア１３によってバンカー１４に送炭されて、ミル１５で粉砕された後、ボイラー１６に供給される。この貯炭場１１の石炭保有量は、プラント１０の継続運転に支障をきたさないように厳密に管理されている。
【０００３】
従来、石炭火力発電所における石炭保有量の管理は、残炭量監視装置によって貯炭場の石炭量を計測することにより残炭量を監視して行っている（例えば、特許文献１参照）。また、貯炭場の石炭保有量は、石炭の受入、送炭計画に基づいて貯炭場の配置計画を作成して管理している（例えば、特許文献２参照）。
【０００４】
【特許文献１】特開平１０−１３２５１１号公報
【特許文献２】特開平７−１４１４３０号公報
【発明の開示】
【発明が解決しようとする課題】
【０００５】
しかし、従来の残炭量監視装置は、貯炭場の残炭量しか監視することができなかった。また、貯炭場の石炭保有量は、悪天候等により石炭船の入港が困難な状況が続くと、計画していた石炭の受入ができないために計画値より減少し、下限保有量を下回ると発電所の継続運転に支障をきたす恐れがあるという課題があった。更に、貯炭場のスペース的な制約がある発電所においては、短期間の石炭船の入港困難な状況により、継続運転に支障をきたす恐れがある。
【課題を解決するための手段】
【０００６】
そこで、本発明は、上記課題を解決するために、プラントの出力に対する単位時間当たりの燃料消費量を記憶した時間消費量記憶手段と、前記プラントへの単位時間当たりの燃料受入量を記憶した時間受入量記憶手段と、前記プラントの運転計画及び燃料の受入計画に基づいて燃料保有量の推移を予測する保有量推移予測手段と、該保有量推移予測手段が燃料の保有量が所定量を下回ると予測したときに警告を発する警告手段とからなるプラントの燃料保有量管理システムを提供するものである。
【０００７】
また、本発明は、前記保有量推移予測手段が燃料の保有量が所定量を下回ると予測したときに、前記プラントの出力を抑制した運転計画に修正する運転計画修正手段を備えた請求項１に記載のプラントの燃料保有量管理システムを提供するものである。
【０００８】
また、本発明は、前記プラントが石炭火力プラントからなり、前記保有量推移予測手段が貯炭場とバンカー内の石炭保有量の推移を予測するようにした請求項１又は２に記載のプラントの燃料保有量管理システムを提供するものである。
【発明の効果】
【０００９】
本発明に係るプラントの燃料保有量管理システムによれば、プラントの出力に対する単位時間当たりの燃料消費量を記憶した時間消費量記憶手段と、前記プラントへの単位時間当たりの燃料受入量を記憶した時間受入量記憶手段と、前記プラントの運転計画及び燃料の受入計画に基づいて燃料保有量の推移を予測する保有量推移予測手段と、該保有量推移予測手段が燃料の保有量が所定量を下回ると予測したときに警告を発する警告手段とからなる構成を有することにより、プラントの燃料保有量の推移を時間単位で正確に予測することができ、悪天候等により燃料の受入が困難な状況が続くことが予想されるときに、燃料保有量がプラントの継続運転に支障をきたす所定量を下回ることを予測して警告を発するから、燃料不足によってプラントの運転に及ぶ影響を事前に回避することができる効果がある。
【００１０】
また、本発明は、前記保有量推移予測手段が燃料の保有量が所定量を下回ると予測したときに、前記プラントの出力を抑制した運転計画に修正する運転計画修正手段を備えた請求項１に記載の構成を有することにより、プラントの燃料不足を自動的に回避して安定した運転を維持することができる効果がある。
【００１１】
また、本発明は、前記プラントが石炭火力プラントからなり、前記保有量推移予測手段が貯炭場とバンカー内の石炭保有量の推移を予測するようにした請求項１又は２に記載の構成を有することにより、貯炭場のみならずバンカー内の石炭保有量の推移も予測することができるから、石炭火力プラントの残炭量の推移を正確に予測することができる効果がある。
【発明を実施するための最良の形態】
【００１２】
本発明の実施の形態を図示する実施例に基づいて説明する。
本発明に係るプラントの燃料保有量管理システムは、プラント１０の出力に対する単位時間当たりの燃料消費量を記憶した時間消費量記憶手段２ａと、前記プラント１０への単位時間当たりの燃料受入量を記憶した時間受入量記憶手段２ｂと、前記プラント１０の運転計画及び燃料の受入計画に基づいて燃料保有量の推移を予測する保有量推移予測手段１ａと、該保有量推移予測手段１ａが燃料の保有量が所定量を下回ると予測したときに警告を発する警告手段１ｂとから構成してある。
【実施例１】
【００１３】
図示の実施例において、プラント１０は石炭火力プラントである。
図２に示す石炭火力プラント１０は、石炭Ｃを貯めておく貯炭場１１と、石炭Ｃを粉砕するミル１５と、粉砕された石炭Ｃを燃焼するボイラー１６と、図示しない蒸気タービンとからなる。貯炭場１１は、石炭船１７から受入コンベア１２により受入られた石炭Ｃを貯めておき、発電量に応じて必要量を輸送コンベア１３によってバンカー１４に送炭するようにしてある。ミル１５は、バンカー１４に蓄えた石炭Ｃを粉砕してボイラー１６に供給するようにしてある。
【００１４】
図１において、１は演算装置であり、保有量推移予測手段１ａと警告手段１ｂを備えている。２は記憶装置であり、時間消費量記憶手段２ａと時間受入量記憶手段２ｂを備えている。また、３はモニターであり、４はプリンターである。
時間消費量記憶手段２ａは、目標の発電量（出力値）に応じてミル１５からボイラー１６に供給されて消費される単位時間当たりの石炭消費量を記憶してある。また、時間受入量記憶手段２ｂは、受入コンベア１２により貯炭場１に受入可能な単位時間当たりの石炭受入量を記憶してある。
【００１５】
保有量推移予測手段１ａは、プラント１０の運転計画（出力計画）と時間消費量記憶手段２ａに記憶され出力値に対応した単位時間当たりの石炭消費量に基づいて、石炭Ｃの消費量を予測することができるようにしてある。また、保有量推移予測手段１ａは、貯炭場１１への石炭Ｃの受入計画と時間受入量記憶手段２ｂに記憶された単位時間当たりの石炭受入量に基づいて、石炭Ｃの受入量を予測することができるようにしてある。保有量推移予測手段１ａは、この石炭Ｃの消費量及び受入量の予測により、貯炭場１１とバンカー１４内の石炭保有量の推移を予測することができるように構成してある。
【００１６】
警告手段１ｂは、保有量推移予測手段１ａが貯炭場１１とバンカー１４内の石炭保有量が運用上の下限値を下回ると予測したときに、石炭保有量の推移予測グラフと共に警告表示をモニター３やプリンター４等に表示して、警告を発することができるように構成してある。
【００１７】
図示の実施例において、保有量推移予測手段１ａは、石炭保有量が運用上の下限値を下回ると予測したときに、プラント１０の出力を抑制した運転計画に修正する運転計画修正手段を備えている。図３に示すように、運転計画修正手段は、保有量推移予測手段１ａが、目標の出力（図中の破線）を維持していると石炭保有量が運用上の下限値を下回ると予測したときに、石炭保有量が運用上の下限値以上の量を維持できるように、プラント１０の出力を抑制した運転計画（図中の実線）に自動的に修正することができるように構成してある。
【００１８】
なお、本発明に係るプラントの燃料保有量管理システムは、石炭火力プラント１０に限らず、重油や軽油等の他の燃料を使用するプラントの燃料保有量の管理に用いることも可能である。
【図面の簡単な説明】
【００１９】
【図１】本発明に係る燃料保有量管理システムの一実施例を示す構成図。
【図２】その一実施例のプラントの構成図。
【図３】その一実施例の一作動状態を示す表。
【符号の説明】
【００２０】
１  演算装置
１ａ  保有量推移予測手段
１ｂ  警告手段
２  記憶装置
２ａ  時間消費量記憶手段
２ｂ  時間受入量記憶手段
３  モニター
４  プリンター
１０  プラント
１１  貯炭場
１２  受入コンベア
１３  輸送コンベア
１４  バンカー
１５  ミル
１６  ボイラー
１７  石炭船
Ｃ  石炭
【図１】
2007264681.tif 000003
【図２】
2007264681.tif 000004
【図３】
2007264681.tif 000005